(57)【特許請求の範囲】
【請求項１】
上方にガラスビーズタンクを配設し、このガラスビーズタンクの落下口の下方に一対の回転体からなるガラスビーズの下方送り機構を配設するとともに、前記ガラスビーズの下方送り機構における一対の回転体間の間隔を調整するための調整機構を、前記ガラスビーズの下方送り機構に対応して配設したことを特徴とする道路標示線塗布機におけるガラスビーズ散布装置。
【請求項２】
請求項１に記載のガラスビーズの下方送り機構における一対の回転体は、それぞれが金属体または弾性体から構成されていることを特徴とする道路標示線塗布機におけるガラスビーズ散布装置。
【請求項３】
請求項１に記載のガラスビーズの下方送り機構における一対の回転体の一方は金属体であり、他方は弾性体であることを特徴とする道路標示線塗布機におけるガラスビーズ散布装置。
【請求項４】
請求項１乃至請求項３のいずれかに記載のガラスビーズの下方送り機構における一対の回転体の両方またはいずれか一方の面に、適宜形状の溝や凹凸を形成したことを特徴とする道路標示線塗布機におけるガラスビーズ散布装置。
【請求項５】
請求項４に記載の適宜形状の溝は、回転体の長手方向に直線状または螺旋状に形成した溝であることを特徴とする道路標示線塗布機におけるガラスビーズ散布装置。
【請求項６】
請求項５に記載の調整機構は、一対の回転体の内の一方の回転体を取り付けた軸には、第１の平歯車を固定すると共に、道路標示線塗布機の車輪の軸から動力伝達を受ける第２の平歯車を固定し、他方の回転体を取り付けた軸の一端には、前記第１の平歯車と噛合する第３の平歯車を固定すると共に、この軸の他端は、上方部を支点として左右に移動して、前記一方の回転体との間で適宜の間隔が得られるように他方の回転体が移動する軸ホルダーに軸支してなることを特徴とする道路標示線塗布機におけるガラスビーズ散布装置。
【発明の詳細な説明】
【０００１】
【発明の属する技術分野】
本発明は、道路標示線塗布機におけるガラスビーズ散布装置に関するものである。
【０００２】
【従来の技術】
従来の道路標示線塗布機としては、例えば実公昭６０−２０６４８に示すごとく１個の塗布タンクで２種以上の塗布幅（例えば１５ｃｍ、２０ｃｍ、３０ｃｍなど）からなる道路標示線を塗布するようにしたものがあった。これによると、道路標示線塗布機の進行方向に対して塗布材流出口の後方にガラスビーズ散布器が配置されており、このガラスビーズ散布器により道路標示線の塗布直後に、この道路標示線の上からガラスビーズを散布している。このガラスビーズ散布器は、上方にガラスビーズタンクを配設し、このガラスビーズタンクの落下口の下方に、ガラスビーズの下方送り機構を配設した構成である。
【０００３】
この下方送り機構は、一個の金属回転体からなっており、この金属回転体の外周長手方向に長溝が形成されている。このようなガラスビーズ散布器で、ガラスビーズを道路標示線の上に散布する際には、上方に配設したガラスビーズタンクから落下するガラスビーズは、回転する一個の金属回転体の長溝に入り、回転しながら上方から下方に送られ、下位に達した時に前記道路標示線の上に散布されるようになっている。
【０００４】
【発明が解決しようとする課題】
ところで、従来のガラスビーズ散布器では、粒径がほぼ０．１〜ほぼ１ｍｍ程度の微細なガラスビーズであるため、湿気などの影響で金属回転体の外周に付着してしまい、均一にガラスビーズを定量散布することが困難であった。また、ガラスビーズの均一散布量の調整も容易ではなかった。本発明は、これらを解決するものであり、道路標示線塗布機の塗布施工速度に応じてガラスビーズの定量送りが可能となり、一対の回転体間の間隔を調整ボルトだけで簡単に調整することができるので、ガラスビーズの均一散布量の調整が容易に可能となる。また、一対の回転体を使用しているため、湿気などに対しても影響され難く、確実に均一散布が可能となる道路標示線塗布機におけるガラスビーズ散布装置を提供するものである。
【０００５】
【課題を解決するための手段】
本発明の道路標示線塗布機におけるガラスビーズ散布装置は、上記課題を解決すべくなされたものであり、上方にガラスビーズタンクを配設し、このガラスビーズタンクの落下口の下方に一対の回転体からなるガラスビーズタンクの下方送り機構を配設するとともに、前記ガラスビーズの下方送り機構における一対の回転体間の間隔を調整するための調整機構を、前記ガラスビーズの下方送り機構に対応して配設したことを特徴とする。
【０００６】
また、ガラスビーズの下方送り機構における一対の回転体は、それぞれが金属体または弾性体から構成されていることを特徴とする。
【０００７】
また、ガラスビーズの下方送り機構における一対の回転体の一方は金属体であり、他方は弾性体であることを特徴とする。
【０００８】
また、ガラスビーズの下方送り機構における一対の回転体の両方またはいずれか一方の面に、適宜形状の溝や凹凸を形成したことを特徴とする。
【０００９】
また、適宜形状の溝は、回転体の長手方向に直線状または螺旋状に形成した溝であることを特徴とする。
【００１０】
調整機構は、一対の回転体の内の一方の回転体を取り付けた軸には、第１の平歯車を固定すると共に、道路標示線塗布機の車輪の軸から動力伝達を受ける第２の平歯車を固定し、他方の回転体を取り付けた軸の一端には、前記第１の平歯車と噛合する第３の平歯車を固定すると共に、この軸の他端は、上方部を支点として左右に移動して、前記一方の回転体との間で適宜の間隔が得られるように他方の回転体が移動する軸ホルダーに軸支してなることを特徴とする。
【００１１】
【発明の実施の形態】
本発明に係る道路標示線塗布機におけるガラスビーズ散布装置は、上述のように上方にガラスビーズタンクを配設し、このガラスビーズタンクの落下口の下方には、一対の回転体から構成されているガラスビーズの下方送り機構が配設されている。前記一対の回転体は、それぞれが金属体または弾性体から構成されている。また、前記一対の回転体の一方は、金属体であり、他方は弾性体である。また、前記一対の回転体の両方またはいずれか一方に形成した溝は、回転体の長手方向に直線状または螺旋状に形成したものである。
【００１２】
前記一対の回転体間の間隔を調整するため調整機構が、前記下方送り機構に対応して配設されている。この調整機構の構成は、次の通りになっている。すなわち、一対の回転体の内の一方の回転対を取り付けた軸には、第１の平歯車を固定すると共に、道路標示線塗布機の車輪の軸から動力伝達を受ける第２の平歯車を固定し、他方の回転体を取り付けた軸の一端には、前記第１の平歯車と噛合する第３の平歯車を固定すると共に、この軸の他端は、上方部を支点として左右に移動して、前記一方の回転体との間で適宜の間隔が得られるように他方の回転体が移動する軸ホルダーに軸支している。
【００１３】
【実施例】
図１は、本発明に係る道路標示線塗布機の側面図である。図２は、本発明に係る道路標示線塗布機におけるガラスビーズ散布装置の一実施例を示す要部概略側面図であり、図３は、同一部切欠斜視図である。図４は、同ガラスビーズ散布装置における調整機構の概略側面図である。図５は、図４におけるＡ−Ａ線に沿う断面図である。
【００１４】
図１乃至図５において、１は手押し式道路標示線塗布機の架台で、この架台の１の下面には、車輪２、２ａが取り付けられている。この架台１の上面には、塗布材を収納してあるガラスビーズタンク４と、プロパンボンベ５と、回転体駆動エンジン６とが取り付けられている。前記ガラスビーズタンク４には、下方にガラスビーズ散布機７が連接されている。前記架台１の側部には、前記塗布材タンク３内の塗布材を収納するホッパー８が、ホッパー傾斜機構９によって支軸１０を中心として路面１２に対して塗布進行方向の前方または後方に傾斜可能に取り付けらてている。
【００１５】
前記ホッパー８の内部には、図示しないエアーシリンダーで作動する塗布材流出口シャッターが取り付けられている。この塗布材流出口シャッターの下方には、回転体駆動エンジン６に連結している例えば金属製円筒状ドラム回転体と、円筒状ブラシ回転体とからなる塗布材噴射機構１１が配設されている。これら２個の回転体は、互いに接触しながら下方に向かって内接方向に回転し、塗布材を路面１２に噴射して道路標示線１３を塗布するように配設されている。前記ガラスビーズ散布装置７は、道路標示線塗布機の進行方向に対して前記塗布材噴射機構１１の後方に配置されており、道路標示線１３の塗布直後に、この道路標示線の上からガラスビーズ１４を散布している（ガラスビーズの落下方向１４ａ）。
【００１６】
次に、前記ガラスビーズ散布機構７の構造について説明する。前記ガラスビーズタンク４の下方に、一対の回転体１５ａ、１５ｂからなるガラスビーズの下方送り機構１５が配設されている。これらの一対の回転体１５ａ、１５ｂの内、一方の回転体１５ａは、駆動回転体であり、他方の回転体１５ｂは、従動回転体である。前記一方の駆動回転体１５ａの回転軸１５ｃには、第１の平歯車１６が固定されており、さらに、前記回転体駆動エンジン６に連結している道路標示線塗布機の車輪２の軸から動力伝達を受ける第２の平歯車１７が固設されている。前記他方の従動回転体１５ｂの回転軸１５ｄの一端には、前記第１の平歯車１６と噛合する第３の平歯車１８が固設されており、さらに、この回転軸１５ｄの他端は、上方部に設けた固定軸１９を支点（イ）として左右に移動して、前記一方の駆動回転体１５ａとの間で適宜の間隔が得られるように他方の従動回転体１５ｂが移動（ロ←→ハ）する軸ホルダー２０に軸支している。なお、この場合は、前記第１の平歯車１６および第３の平歯車１８は、回転体１５ａ、１５ｂの間隔が大、小に変化してもこれに準じて回転を正確に伝えることができる径のものが用いられことは勿論のことである。
【００１７】
２１は、前記一対の回転体１５ａ、１５ｂ間の間隔を調整するための間隔調整用ボトルであり、前記軸ホルダー２０に螺入されている。この間隔調整用ボルト２１を回すことにより、この間隔調整用ボルト２１の先端部２１ａは、ボールベアリング２２を介して固定部に対向して回るので、前記軸ホルダー２０は、前記固定軸１９を支点（イ）として左右移動（ロ←→ハ）するようになっている。従って、間隔調整用ボルト２１を回すことにより、前記一対の回転体１５ａ、１５ｂ間の間隔が調整され、ガラスビーズの粒径や湿気の変化に対応して簡単にして確実にガラスビーズの散布量を調整することができる。
【００１８】
前記ガラスビーズ散布装置における一対の回転体１５ａ、１５ｂは、両方とも円筒形状からなっている。これら一対の回転体１５ａ、１５ｂは、それぞれ金属体または弾性体で構成しても良く、また一方の回転体を金属体で構成し、他方の回転体を弾性体で構成しても良い。なお、前記弾性体としては、ゴム系のもの、特にゴム・ライニングを使用すると、湿気に影響され難く、ガラスビースの定量送りも確実に可能となる。前記ガラスビーズ散布装置における一対の回転体１５ａ、１５ｂの形状は、図６乃至１７に示す通りであり、以下、各実施例に基づいて説明する。まず、図６は、前記一対の回転体１５ａ、１５ｂの第１実施例に示す概略側面図であり、図７は、同平面図である。この第１実施例に示す一対の回転体１５ａ、１５ｂの外周には、それぞれ適宜形状の溝が形成されていない平らな面を有している。
【００１９】
図８は、ガラスビーズ散布装置における一対の回転体１５ａ、１５ｂの第２実施例に示す概略側面図であり、図９は、同平面図である。この第２実施例に示すものは、一対の回転体１５ａ、１５ｂの外周に、それぞれ回転体の長手方向に直線状の溝を形成したものである。
【００２０】
図１０は、ガラスビーズ散布装置における一対の回転体１５ａ、１５ｂの第３実施例に示す概略側面図であり、図１１は、同平面図である。この第３実施例に示すものは、一方の回転体１５ａの外周に、回転体の長手方向に直線状の溝を形成し、他方の回転１５ｂの外周には、適宜形状の溝が形成されていない平らな面を形成したものである。
【００２１】
図１２は、ガラスビーズ散布装置における一対の回転体１５ａ、１５ｂの第４実施例に示す概略側面図であり、図１３は、同平面図である。この第４実施例に示すものは、一方の回転体１５ａの外周に、回転体の長手方向に直線状の溝を形成し、他方の回転１５ｂの外周には、螺旋状の溝を形成したものである。
【００２２】
図１４は、ガラスビーズ散布装置における一対の回転体１５ａ、１５ｂの第５実施例に示す概略側面図であり、図１５は、同平面図である。この第５実施例に示すものは、一方の回転体１５ａ、１５ｂの外周に、それぞれの回転体の長手方向に螺旋状の溝を形成したものである。
【００２３】
図１６は、ガラスビーズ散布装置における一対の回転体１５ａ、１５ｂの第６実施例に示す概略側面図であり、図１７は、同平面図である。この第６実施例に示すものは、一方の回転体１５ａの外周に、回転体の長手方向に螺旋状の溝を形成し、他方の回転１５ｂの外周には、適宜形状の溝が形成されていない平らな面を形成したものである。なお、前記各実施例では、適宜の形状の溝として長手方向に直線状や螺旋状を形成したものであるが、ガラスビーズの滑りを止めることができる形状であれば例えば凹凸面やローレットなどのザラザラ面を形成しても良いことは勿論である。
【００２４】
２３は、ガラスビーズの落下口である。２４は、前記下方送り機構１５からガラスビーズの落下口２３を介して下方に送られるガラスビーズを１４受ける受板である。前記下方送り機構１５の下方には、前記受板２４の上部に、例えば２種以上の道路標示線の塗膜幅に応じてガラスビーズの散布幅が変えられるガラスビーズ散布部２５が配設されている。
【００２５】
前記ガラスビーズ散布部２５は、前記受板２４の一方の端部近傍に配設された一対のスリット孔２６ａが穿設されている端面２６ｂが円弧状に形成されている固定当板２６と、この固定当板２６に対してスリット孔２６ａと、ボルト２７、ナット２８とを介して、前記受板２４を挟んで相対向して可動自在に取り付けられた一対の調整当板２９とより構成されている。
【００２６】
前記固定当板２６の端面が円弧状に形成されているので、一対の調整当板２９の端部２９ａを互いに一番外側に離間するよう移動させることができるので、ガラスビーズ１４を幅広の道路標示線１３の塗布直後に、幅広に均一に散布させることができる。また、一対の調整当板２９の端部を互いに内側に移動させることができるので、ガラスビーズ１４を幅狭の道路標示線１３の塗布直後に、幅狭に均一に散布させることができる。３０は、前記固定当板２６の端面に蝶番３１によって取り付けた断面Ｌ字状カバー部材であり、前に倒すことによってガラスビーズが飛び散るのを防止することができる。
【００２７】
次に、本発明に係る道路標示線塗布機におけるガラスビーズ散布装置の作用について説明する。図１乃至図５において、上方に設置したガラスビーズタンク４の落下口２４の下方に、図６乃至図１７に示す一対の回転体１５ａ、１５ｂからなるガラスビーズ１４の下方送り機構１５が配設すると、一対の回転体１５ａ、１５ｂは、互いに内側に巻き込むように回転するので、前記ガラスビーズタンク４から落下されるガラスビーズ１４は、確実に均一に下方に送られて前記受板２４に落下し、前記ガラスビーズの散布部２５から均一定量に散布される。この際、道路標示線塗布機の塗布施工速度に応じてガラスビーズ１４の定量送りが可能となり、前記軸ホルダー２０に螺入されている間隔調整用ボルト２１を回すことにより、前記一方の回転体１５ａ、１５ｂ間の間隔が調整される。従って、ガラスビーズ１４の散布量を簡単に調整することができる。
【００２８】
【発明の効果】
本発明に係る道路標示線塗布機におけるガラスビーズ散布装置によれば、上方にガラスビーズタンクを配設し、このガラスビーズタンクの落下口の下方に一対の回転体からなるガラスビーズの下方送り機構を配設したので、道路標示線塗布機の塗布施工速度に応じてガラスビーズの定量送りが可能となる。また、ガラスビーズの下方送り機構における一対の回転体間の間隔を調整するための調整機構を、前記下方送り機構に対応して配設したので、ガラスビーズの均一な散布量をうるため簡単に調整することができる。
【００２９】
さらにまた、前記調整機構は、一対の回転体の内の一方回転体を取り付けた軸には、第１の平歯車を固定すると共に、道路標示線塗布機の車輪の軸から動力伝達を受ける第２の平歯車を固定し、他方の回転体を取り付けた軸の一端には、前記第１の平歯車と噛合する第３の平歯車を固定すると共に、この軸の他端は、上方部を支点として左右に移動して、前記一方の回転体との間で適宜の間隔が得られるように他方の回転体が移動する軸ホルダーに軸支したものであるから、構造が簡単であり、確実にガラスビーズの散布量を簡単に調整することができるなどの効果がある。
【図面の簡単な説明】
【図１】  本発明に係る道路標示線塗布機におけるガラスビーズ散布装置の一実施例を示す全体の側面図である。
【図２】  本発明に係る道路標示線塗布機におけるガラスビーズ散布装置の要部を示す概略側面図である。
【図３】  同一部切欠斜視図である。
【図４】  同ガラスビーズ散布装置における調整機構の概略側面図である。
【図５】  図４におけるＡ−Ａ  線に沿う断面図である。
【図６】  一対の回転体の第１実施例を示す概略側面図である。
【図７】  同平面図である。
【図８】  一対の回転体の第２実施例を示す概略側面図である。
【図９】  同平面図である。
【図１０】  一対の回転体の第３実施例を示す概略側面図である。
【図１１】  同平面図である。
【図１２】  一対の回転体の第４実施例を示す概略側面図である。
【図１３】  同平面図である。
【図１４】  一対の回転体の第５実施例を示す概略側面図である。
【図１５】  同平面図である。
【図１６】  一対の回転体の第６実施例を示す概略側面図である。
【図１７】  同平面図である。
【符号の説明】
１        手押し式道路標示線塗布機の架台
２．２ａ  車輪
３        塗布材タンク
４        ガラスビーズタンク
５        プロパンボンベ
６        回転体駆動エンジン
７        ガラスビーズ散布機構
８        ホッパー
９        ホッパー傾斜機構
１０      支軸
１１      塗布材噴射機構
１２      路面
１３      道路標示線
１４      ガラスビーズ
１４ａ    ガラスビーズの落下方向
１５      ガラスビーズの下方送り機構
１５ａ    駆動回転体
１５ｂ    従回転軸
１５ｃ    回転軸
１５ｄ    回転軸
１６      第１の平歯車
１７      第２の平歯車
１８      第３の平歯車
１９      固定軸
２０      軸ホルダー
２１      間隔調整用ボルト
２１ａ    先端部
２２      ボールベアリング
２３      ガラスビーズの落下口
２４      受板
２５      ガラスビーズ散布部
２６      固定当板
２６ａ    一対のスリット孔
２６ｂ    端面
２７      ボルト
２８      ナット
２９      一対の調整当板
２９ａ    端部
３０      断面Ｌ字状カバー部材
３１      蝶番
【図１】
0003840729.tif 000002
【図２】
0003840729.tif 000003
【図３】
0003840729.tif 000004
【図４】
0003840729.tif 000005
【図５】
0003840729.tif 000006
【図６】
0003840729.tif 000007
【図７】
0003840729.tif 000008
【図８】
0003840729.tif 000009
【図９】
0003840729.tif 000010
【図１０】
0003840729.tif 000011
【図１１】
0003840729.tif 000012
【図１２】
0003840729.tif 000013
【図１３】
0003840729.tif 000014
【図１４】
0003840729.tif 000015
【図１５】
0003840729.tif 000016
【図１６】
0003840729.tif 000017
【図１７】
0003840729.tif 000018